(57)【要約】      （修正有）【課題】貯留部内のインキで発生した気泡や異物等が版胴における印刷領域に付着することを防止することができる印刷装置を提供する。【解決手段】印刷装置は、被印刷物にインキを転写することにより当該被印刷物に対して印刷を行う版胴と、インキが貯留された貯留部と、貯留部に貯留されたインキを版胴に転写するインキ転写ロール２０とを備えており、インキ転写ロール２０の外周面には、インキ転写ロール２０の軸方向および回転方向に対してそれぞれ傾斜する溝２４が設けられている。【選択図】図２
2015051513.tif 000002
【特許請求の範囲】
【請求項１】
被印刷物にインキを転写することにより当該被印刷物に対して印刷を行う版胴と、
インキが貯留された貯留部と、
前記貯留部に貯留されたインキを前記版胴に転写するインキ転写ロールと、
を備え、
前記インキ転写ロールの外周面には、当該インキ転写ロールの軸方向および回転方向に対してそれぞれ傾斜する溝が設けられている、印刷装置。
【請求項２】
前記インキ転写ロールの外周面には弾性体が設けられており、
前記溝は前記弾性体に形成されている、請求項１記載の印刷装置。
【請求項３】
前記インキ転写ロールの外周面に設けられた前記溝は、当該インキ転写ロールの外周面を展開して平面図としたときに直線状となるよう形成されている、請求項１または２記載の印刷装置。
【請求項４】
前記インキ転写ロールの外周面に設けられた前記溝は螺旋形状となるよう形成されている、請求項１乃至３のいずれか一項に記載の印刷装置。
【請求項５】
前記版胴の外周面には凹形状のセルが複数設けられており、
前記インキ転写ロールの外周面に設けられた前記溝は、その深さが前記セルの深さよりも大きくなるよう形成されている、請求項１乃至４のいずれか一項に記載の印刷装置。
【請求項６】
前記版胴の外周面には凹形状のセルが複数設けられており、
前記インキ転写ロールの外周面に設けられた前記溝は、その幅の大きさが前記セルの幅よりも大きくなるよう形成されている、請求項１乃至４のいずれか一項に記載の印刷装置。
【請求項７】
前記インキ転写ロールは、その周速度が前記版胴の周速度と異なる大きさで回転するようになっている、請求項１乃至６のいずれか一項に記載の印刷装置。
【請求項８】
前記インキ転写ロールの周速度をｕ、前記版胴の周速度をＵ、前記インキ転写ロールの回転方向における前記溝の幅の大きさをａ、前記インキ転写ロールの軸方向長さをＷとしたときに、前記インキ転写ロールの軸方向に対する前記溝の傾斜角度θは、下記の式（１）に示す範囲内の大きさとなるよう設定される、請求項７記載の印刷装置。
ｔａｎ−１（（ａ÷Ｗ）×（（ｕ−Ｕ）÷ｕ））≦θ＜９０°・・・式（１）
【発明の詳細な説明】
【技術分野】
【０００１】
本発明は、紙やフィルム等の被印刷物にインキを転写することにより当該被印刷物に対して印刷を行うグラビア印刷装置等の印刷装置に関する。
【背景技術】
【０００２】
従来から、紙やフィルム等の被印刷物にインキを転写することにより当該被印刷物に対して印刷を行うグラビア印刷装置として、様々なタイプのものが知られている。グラビア印刷装置としては、被印刷物にカラーインキを転写することにより当該被印刷物に色を塗るタイプのものがあるが、他の種類のグラビア印刷装置としては、被印刷物の全面に機能性インキを転写することによりこの被印刷物の表面に機能性インキの保護層を形成し、当該被印刷物に様々な機能を持たせるようなものがある。このような機能性インキとしては、例えば、外部からエネルギーを受けると硬化するようなインキや被印刷物の耐候性を向上させるようなフィラーインキ等が挙げられる。
【０００３】
しかしながら、グラビア印刷装置においてとりわけ機能性インキを用いて被印刷物に対して印刷を行う場合には、インキパンに貯留されるインキの液面に気泡が発生しやすくなってしまうという問題がある。グラビア印刷装置においてインキ中に気泡が発生してしまうと、当該気泡がインキ転写ロール（ファニッシャーロール）を介して版胴に転移してしまい、この版胴により被印刷物にインキを転写する際に当該版胴に付着した気泡が原因となって印刷不良が発生してしまうおそれがある。また、インキパンに貯留されるインキに異物が含まれている場合には、この異物がインキ転写ロールを介して版胴に転移してしまうと、この版胴により被印刷物にインキを転写する際に当該版胴に付着した異物が原因となって印刷不良が発生してしまうおそれがある。
【０００４】
これに対して、特許文献１には、インキパンの開口部の周縁の一部である突起部を版胴の外周面に所定の距離をおいて近接させるとともに、版胴の回転方向において突起部よりも後方にドクターブレードを配設することにより、版胴に供給されるインキ中への異物の混入を防止する技術が開示されている。また、特許文献２には、版胴の回転方向において付着前側のインキパンの側にインキの液面の液高さよりも僅かに低い土手を設けることにより、インキの液面に発生する気泡や異物等が版胴に付着するのを防止する技術が開示されている。
【先行技術文献】
【特許文献】
【０００５】
【特許文献１】特開平１１−３４８２３７号公報
【特許文献２】特開２０１１−２１８７５６号公報
【発明の概要】
【発明が解決しようとする課題】
【０００６】
特許文献１に開示されるような従来のグラビア印刷装置では、インキの種類や経時的変化により当該インキの物性が異なる場合には、それに伴い版胴と突起部との間の距離を変更する必要があるが、版胴と突起部との間の距離を所望の大きさに調整することが困難であり、また段取りに時間がかかるという問題がある。また、特許文献２に開示されるような従来のグラビア印刷装置では、インキパンのインキに浸された版胴が回転することによりインキパン内のインキの液面の高さが不安定になるとともにこの液面の水平性が保たれなくなるため、インキパン内に設けられた土手により気泡や異物等が版胴に付着するのを完全に防ぐのは困難であるという問題がある。
【０００７】
本発明は、このような点を考慮してなされたものであり、貯留部内のインキで発生した気泡や異物等が版胴における印刷領域に付着することを防止することができる印刷装置を提供することを目的とする。
【課題を解決するための手段】
【０００８】
本発明の印刷装置は、被印刷物にインキを転写することにより当該被印刷物に対して印刷を行う版胴と、インキが貯留された貯留部と、前記貯留部に貯留されたインキを前記版胴に転写するインキ転写ロールとを備え、前記インキ転写ロールの外周面には、当該インキ転写ロールの軸方向および回転方向に対してそれぞれ傾斜する溝が設けられていることを特徴とする。
【０００９】
このような印刷装置によれば、貯留部に貯留されたインキを版胴に転写するインキ転写ロールの外周面には、当該インキ転写ロールの軸方向および回転方向に対してそれぞれ傾斜する溝が設けられている。このことにより、貯留部内のインキで発生した気泡や異物等がインキ転写ロールに付着した場合でも、これらの気泡や異物等はインキ転写ロールの外周面に形成された溝に入り込むようになり、その後、版胴とインキ転写ロールとの間に形成されたニップ部において、溝内にある気泡や異物等は、溝自体が版胴とインキ転写ロールとの間で挟圧されることにより潰されることによって、インキ転写ロールの軸方向外方に押し出されるようになる。このため、気泡や異物等が版胴における印刷領域に付着することを防止することができる。
【００１０】
本発明の印刷装置においては、前記インキ転写ロールの外周面には弾性体が設けられており、前記溝は前記弾性体に形成されていてもよい。
【００１１】
本発明の印刷装置においては、前記インキ転写ロールの外周面に設けられた前記溝は、当該インキ転写ロールの外周面を展開して平面図としたときに直線状となるよう形成されていてもよい。
【００１２】
本発明の印刷装置においては、前記インキ転写ロールの外周面に設けられた前記溝は螺旋形状となるよう形成されていてもよい。
【００１３】
本発明の印刷装置においては、前記版胴の外周面には凹形状のセルが複数設けられており、前記インキ転写ロールの外周面に設けられた前記溝は、その深さが前記セルの深さよりも大きくなるよう形成されていてもよい。
【００１４】
本発明の印刷装置においては、前記版胴の外周面には凹形状のセルが複数設けられており、前記インキ転写ロールの外周面に設けられた前記溝は、その幅の大きさが前記セルの幅よりも大きくなるよう形成されていてもよい。
【００１５】
本発明の印刷装置においては、前記インキ転写ロールは、その周速度が前記版胴の周速度と異なる大きさで回転するようになっていてもよい。
【００１６】
この場合、前記インキ転写ロールの周速度をｕ、前記版胴の周速度をＵ、前記インキ転写ロールの回転方向における前記溝の幅の大きさをａ、前記インキ転写ロールの軸方向長さをＷとしたときに、前記インキ転写ロールの軸方向に対する前記溝の傾斜角度θは、下記の式（１）に示す範囲内の大きさとなるよう設定されるようになっていてもよい。
ｔａｎ−１（（ａ÷Ｗ）×（（ｕ−Ｕ）÷ｕ））≦θ＜９０°・・・式（１）
【発明の効果】
【００１７】
本発明の印刷装置によれば、貯留部内のインキで発生した気泡や異物等が版胴における印刷領域に付着することを防止することができる。
【図面の簡単な説明】
【００１８】
【図１】本発明の実施の形態による印刷装置の構成の概略を示す構成図である。
【図２】図１に示す印刷装置におけるファニッシャーロールの構成の詳細を示す斜視図である。
【図３】図１に示す印刷装置における版胴とファニッシャーロールとの間に形成されたニップ部の構成を示す構成図である。
【図４】図２等に示すファニッシャーロールの外周面を展開して平面図としたときの構成を示す図である。
【図５】図２等に示すファニッシャーロールの外周面を展開して平面図としたときの版胴との位置関係を示す図である。
【図６】図２等に示すファニッシャーロールの外周面に形成された溝における、当該ファニッシャーロールの軸方向に対する傾斜角度の設定範囲を示す数式である。
【発明を実施するための形態】
【００１９】
以下、図面を参照して本発明の実施の形態について説明する。図１乃至図６は、本実施の形態に係る印刷装置を示す図である。このうち、図１は、本実施の形態による印刷装置の構成の概略を示す構成図であり、図２は、図１に示す印刷装置におけるファニッシャーロールの構成の詳細を示す斜視図である。また、図３は、図１に示す印刷装置における版胴とファニッシャーロールとの間に形成されたニップ部の構成を示す構成図である。また、図４は、図２等に示すファニッシャーロールの外周面を展開して平面図としたときの構成を示す図であり、図５は、図２等に示すファニッシャーロールの外周面を展開して平面図としたときの版胴との位置関係を示す図である。また、図６は、図２等に示すファニッシャーロールの外周面に形成された溝における、当該ファニッシャーロールの軸方向に対する傾斜角度の設定範囲を示す数式である。
【００２０】
図１に示すように、本実施の形態による印刷装置、具体的にはグラビア印刷装置は、紙やフィルム等の被印刷物Ｓにインキ１８を転写することにより当該被印刷物Ｓに対して印刷を行う版胴３０と、版胴３０に当接するよう配設され、当該版胴３０に向かって押圧されることによりこの版胴３０との間でニップ部Ｎ１を形成するような圧胴３２と、インキ１８が貯留されたインキパン１０と、インキパン１０に貯留されたインキ１８を版胴３０に転写するインキ転写ロールとしてのファニッシャーロール２０とを備えている。ここで、ファニッシャーロール２０も版胴３０に向かって押圧されるよう配設されており、版胴３０とファニッシャーロール２０との間にはニップ部Ｎ２が形成されるようになっている。また、ファニッシャーロール２０、版胴３０および圧胴３２はそれぞれ図１における矢印方向に連続的に回転するようになっている。
【００２１】
ファニッシャーロール２０は、金属芯の周囲にゴム等の弾性体が設けられたものからなる。また、版胴３０の外周面には凹形状のセルが複数設けられており、ファニッシャーロール２０から版胴３０に転写されたインキ１８は当該セル内に入り込むようになっている。そして、連続的に搬送される帯状の紙やフィルム等の被印刷物Ｓが版胴３０と圧胴３２との間に形成されたニップ部Ｎ１に送られると、版胴３０のセル内に入り込んだインキ１８が被印刷物Ｓに転写されるようになっている。
【００２２】
また、図１に示すように、本実施の形態の印刷装置においては、インキパン１０にインキ１８を供給するためのインキ供給部１２、ポンプ１４およびインキ供給配管１６がそれぞれ設けられており、インキ供給部１２から供給されたインキ１８はポンプ１４によりインキ供給配管１６を介してインキパン１０に送られるようになっている。ここで、インキ供給配管１６の先端部分はインキパン１０の底部近傍に位置するようになっているが、インキ供給配管１６からインキパン１０内にインキ１８が送られる際に気泡が発生することによりインキパン１０内のインキ１８の液面に気泡１９が付着する場合がある。このときには、ファニッシャーロール２０の外周面にも気泡１９が付着するようになる。また、インキパン１０に貯留されるインキ１８に異物が含まれる場合があり、このときに、当該異物がファニッシャーロール２０の外周面に付着することがある。
【００２３】
また、図１に示すように、版胴３０の外周面に当接するようドクターブレード３４が設けられている。ドクターブレード３４は例えばゴム等の弾性体から形成されており、このようなドクターブレード３４により、版胴３０の外周面に付着した余剰分のインキ１８が掻き落とされるようになっている。
【００２４】
本実施の形態では、図２に示すように、ファニッシャーロール２０の外周面には複数の溝２４が螺旋状に形成されている。このような複数の溝２４は、ファニッシャーロール２０の外周面に設けられたゴム等の弾性体に形成されている。また、各溝２４は、ファニッシャーロール２０の軸２２の延びる方向（以下、軸方向ともいう）および回転方向に対してそれぞれ傾斜するよう設けられている。このようなファニッシャーロール２０の外周面に形成された複数の溝２４の構成の詳細について図３乃至図５を用いて説明する。なお、前述したように、図３は、図１に示す印刷装置における版胴３０とファニッシャーロール２０との間に形成されたニップ部Ｎ２の構成を示す構成図であり、図４は、図２等に示すファニッシャーロール２０の外周面を展開して平面図としたときの構成を示す図であり、図５は、図２等に示すファニッシャーロール２０の外周面を展開して平面図としたときの版胴３０との位置関係を示す図である。
【００２５】
図４に示すように、ファニッシャーロール２０の外周面に設けられた各溝２４は、当該ファニッシャーロール２０の外周面を展開して平面図としたときに直線状となるよう形成されている。また、各溝２４は、ファニッシャーロール２０の軸方向（すなわち、図４における左右方向）および回転方向（すなわち、図４における上下方向）に対してそれぞれ傾斜するよう延びるようになっている。ここで、前述したように、版胴３０の外周面には凹形状のセルが複数設けられているが、各溝２４は、その深さ（図２において参照符号ｈで表示）および幅（図２において参照符号ａで表示）がそれぞれ版胴３０のセルの深さおよび幅よりも大きくなるよう形成されている。
【００２６】
また、本実施の形態では、ファニッシャーロール２０は、その周速度が版胴３０の周速度と異なる大きさで回転するようになっている。
【００２７】
また、版胴３０が被印刷物Ｓに対して印刷を行う際に、当該版胴３０の軸方向における両端部近傍の箇所では被印刷物Ｓに対してインキ１８の転写は行われず、この版胴３０の軸方向における両端部近傍以外の箇所である印刷領域（図５において参照符号３６で示す領域）で被印刷物Ｓに対してインキ１８の転写が行われるようになっている。ここで、ファニッシャーロール２０の外周面における版胴３０の印刷領域３６に面する領域（内側領域）を図４および図５において参照符号２６で示す。本実施の形態では、ファニッシャーロール２０の外周面に溝２４が形成されていることにより、インキパン１０に貯留されたインキ１８で発生した気泡１９や異物等がファニッシャーロール２０の外周面に付着した場合に、図３に示すようにこれらの気泡１９や異物等はファニッシャーロール２０に設けられた溝２４に入るようになる。そして、ファニッシャーロール２０の回転に伴って気泡１９や異物等は溝２４内でファニッシャーロール２０の軸方向外方（具体的には、図４や図５における右方向）に移動するようになる。より詳細には、版胴３０とファニッシャーロール２０との間に形成されたニップ部Ｎ２において、溝２４内にある気泡１９や異物等は、溝２４自体が版胴３０とファニッシャーロール２０との間で挟圧されることにより潰されることによって、ファニッシャーロール２０の軸方向外方（すなわち、図４や図５における右方向）に押し出されるようになる。また、ファニッシャーロール２０の溝２４の深さや幅の大きさが、版胴３０のセルの深さや幅よりも大きいため、当該溝２４内にある気泡１９や異物等が版胴３０のセル内に入り込むことが抑制される。このように、ファニッシャーロール２０の回転に伴って気泡１９や異物等が溝２４内でファニッシャーロール２０の軸方向外方に移動してこのファニッシャーロール２０の側方から排出されたり内側領域２６よりも軸方向外側の領域に送られたりすることにより、ファニッシャーロール２０から版胴３０にインキ１８が転写される際に、ファニッシャーロール２０の外周面に付着した気泡１９や異物等が版胴３０における印刷領域３６に転移することを防止することができるようになる。
【００２８】
次に、ファニッシャーロール２０の外周面に形成された各溝２４における、当該ファニッシャーロール２０の軸方向（図４における左右方向）に対する傾斜角度（図４において参照符号θで表示）の設定範囲について説明する。図４に示すように、ファニッシャーロール２０の回転方向（図４における上下方向）における溝２４の幅の大きさをａ、当該ファニッシャーロール２０の軸方向長さをＷとする。この場合、図６における数式（ｉ）に示すような関係が成り立つよう、各溝２４の傾斜角度θの値が設定される。ここで、当該数式（ｉ）における左辺は、版胴３０とファニッシャーロール２０との間に形成されたニップ部Ｎ２において、溝２４が版胴３０とファニッシャーロール２０との間で挟圧されることにより潰されることによって、溝２４内にある気泡１９や異物等がファニッシャーロール２０の軸方向長さＷ分の距離を移動するのに必要な時間を示している。すなわち、数式（ｉ）における左辺の式により算出される時間は、ニップ部Ｎ２において溝２４内にある気泡１９や異物等がファニッシャーロール２０の側方から排出されるのにかかる最長時間を示している。このような時間は、ファニッシャーロール２０の回転方向における溝２４の長さ（Ｗｔａｎθ、図６参照）を、版胴３０に対するファニッシャーロール２０の相対的な周速度（ｕ−Ｕ）で割り算することにより算出される。また、数式（ｉ）における右辺は、版胴３０とファニッシャーロール２０との間に形成されたニップ部Ｎ２を溝２４が通過する時間（＝ａ÷ｕ）を示している。
【００２９】
そして、本実施の形態では、図６における数式（ｉ）で示すように、ニップ部Ｎ２において溝２４内にある気泡１９や異物等がファニッシャーロール２０の側方から排出されるのにかかる最長時間（＝Ｗｔａｎθ÷（ｕ−Ｕ））が、版胴３０とファニッシャーロール２０との間に形成されたニップ部Ｎ２を溝２４が通過する時間（＝ａ÷ｕ）よりも大きくなるよう、各溝２４の傾斜角度θの値が設定されるようになる。もし仮に、ニップ部Ｎ２において溝２４内にある気泡１９や異物等がファニッシャーロール２０の側方から排出されるのにかかる最長時間が、版胴３０とファニッシャーロール２０との間に形成されたニップ部Ｎ２を溝２４が通過する時間よりも短い場合には、この溝２４が版胴３０とファニッシャーロール２０との間で挟圧されることにより潰されても、溝２４内で気泡１９や異物等がファニッシャーロール２０の軸方向長さＷ分の距離だけ移動しないので、溝２４内の気泡１９や異物等がファニッシャーロール２０における内側領域２６内に残る可能性があり、この場合にはニップ部Ｎ２において版胴３０の印刷領域３６に気泡１９や異物等が転移してしまうおそれがある。一方、図６における数式（ｉ）で示す関係が成り立つ場合には、溝２４内で気泡１９や異物等がファニッシャーロール２０の軸方向長さＷ分の距離だけ移動する時間が、溝２４が版胴３０とファニッシャーロール２０との間で挟圧されることにより潰される時間（＝ａ÷ｕ）よりも長くなっているため、気泡１９や異物等はファニッシャーロール２０の側方から確実に排出されるようになる。このため、ニップ部Ｎ２において版胴３０の印刷領域３６に気泡１９や異物等が転移してしまうことはない。
【００３０】
このように、図６における数式（ｉ）で示す関係が成り立つ場合には、当該図６における数式（ｉｉ）に示す関係も成り立つようになる。このことにより、ファニッシャーロール２０の外周面に形成された各溝２４における、当該ファニッシャーロール２０の軸方向に対する傾斜角度θは、ｔａｎ−１（（ａ÷Ｗ）×（（ｕ−Ｕ）÷ｕ））以上であるとともに９０°より小さくように設定される。このように、各溝２４の傾斜角度θは、ファニッシャーロール２０の回転方向における溝２４の幅の大きさａ、当該ファニッシャーロール２０の軸方向長さＷ、ファニッシャーロール２０の周速度ｕおよび版胴３０の周速度Ｕに基づいてその範囲が設定されるようになる。
【００３１】
以上のような構成からなる本実施の形態の印刷装置によれば、インキパン１０に貯留されたインキ１８を版胴３０に転写するインキ転写ロールとしてのファニッシャーロール２０の外周面には、当該ファニッシャーロール２０の軸方向および回転方向に対してそれぞれ傾斜する溝２４が設けられている。このことにより、インキパン１０内のインキ１８で発生した気泡１９や異物等がファニッシャーロール２０に付着した場合に、これらの気泡１９や異物等はファニッシャーロール２０の外周面に形成された溝２４に入り込むようになり、その後、版胴３０とファニッシャーロール２０との間に形成されたニップ部Ｎ２において、溝２４内にある気泡１９や異物等は、溝２４自体が版胴３０とファニッシャーロール２０との間で挟圧されることにより潰されることによって、ファニッシャーロール２０の軸方向外方に押し出されるようになる。このため、気泡１９や異物等が版胴３０における印刷領域３６に付着することを防止することができる。
【００３２】
また、本実施の形態の印刷装置においては、前述したように、ファニッシャーロール２０の外周面にはゴム等の弾性体が設けられており、溝２４はこの弾性体に形成されている。このことにより、版胴３０とファニッシャーロール２０との間に形成されたニップ部Ｎ２において、溝２４は版胴３０とファニッシャーロール２０との間で挟圧されることによってより確実に潰されるようになる。
【００３３】
また、本実施の形態の印刷装置においては、図４に示すように、ファニッシャーロール２０の外周面に設けられた溝２４は、当該ファニッシャーロール２０の外周面を展開して平面図としたときに直線状となるよう形成されている。言い換えると、ファニッシャーロール２０の外周面に設けられた溝２４は螺旋形状となるよう形成されている。
【００３４】
また、本実施の形態の印刷装置においては、前述したように、版胴３０の外周面には凹形状のセルが複数設けられており、ファニッシャーロール２０の外周面に設けられた溝２４は、その深さが版胴３０のセルの深さよりも大きくなるよう形成されている。また、ファニッシャーロール２０の外周面に設けられた溝２４は、その幅の大きさが版胴３０のセルの幅よりも大きくなるよう形成されている。このように、ファニッシャーロール２０の外周面に設けられた溝２４の深さや幅が版胴３０のセルの深さや幅よりも大きい場合には、溝２４内の気泡１９や異物等が版胴３０のセル内に転移してしまうことがより一層抑制されるようになる。なお、ファニッシャーロール２０の外周面に設けられた溝２４は、その深さおよび幅の両方が版胴３０のセルの深さおよび幅よりもそれぞれ大きくなることに限定されることはなく、溝２４の深さのみ、あるいは溝２４の幅のみが、版胴３０のセルの深さや幅よりも大きくなっていてもよい。
【００３５】
また、本実施の形態の印刷装置においては、前述したように、ファニッシャーロール２０は、その周速度（ｕ）が版胴３０の周速度（Ｕ）と異なる大きさで回転するようになっている。ここで、もし仮にファニッシャーロール２０の周速度が版胴３０の周速度と同じ大きさである場合には、版胴３０に対するファニッシャーロール２０の相対的な周速度の大きさが０となるため、版胴３０とファニッシャーロール２０との間に形成されたニップ部Ｎ２において、溝２４が版胴３０とファニッシャーロール２０との間で挟圧されることにより潰されても、溝２４内にある気泡１９や異物等がファニッシャーロール２０の軸方向外方に押し出されなくなるおそれがある。なお、ファニッシャーロール２０の周速度が版胴３０の周速度と異なる大きさである場合には、ファニッシャーロール２０の周速度が版胴３０の周速度よりも大きくなることが好ましい。
【００３６】
なお、本実施の形態による印刷装置は、上述したような態様に限定されることはなく、様々な変更を加えることができる。
【００３７】
例えば、ファニッシャーロール２０の外周面に形成される溝は、図２乃至図５に示すような形状のものに限定されることはない。具体的には、図４に示す例では、ファニッシャーロール２０の外周面を展開して平面図としたときに溝２４はファニッシャーロール２０の一方の端部から他方の端部まで直線状に延びているが、溝の形状はこのようなものに限定されることはない。他の態様として、例えば、ファニッシャーロール２０の外周面を展開して平面図としたときに、このファニッシャーロール２０の外周面に形成される溝は、搬送方向における先行部が凸となるようなＶ字形状となっていてもよい。この場合でも、インキパン１０内のインキ１８で発生した気泡１９や異物等がファニッシャーロール２０に付着したときに、これらの気泡１９や異物等はファニッシャーロール２０の外周面に形成されたＶ字形状の溝に入り込むようになり、その後、版胴３０とファニッシャーロール２０との間に形成されたニップ部Ｎ２において、Ｖ字形状の溝内にある気泡１９や異物等は、この溝自体が版胴３０とファニッシャーロール２０との間で挟圧されることにより潰されることによって、ファニッシャーロール２０の軸方向における両側方に押し出されるようになる。このため、気泡１９や異物等が版胴３０における印刷領域３６に付着することを防止することができるようになる。
【００３８】
また、ファニッシャーロール２０の外周面を展開して平面図としたときに、このファニッシャーロール２０の外周面に形成される溝は、その両端部がそれぞれファニッシャーロール２０の軸方向における両端部まで延びる必要はない。すなわち、ファニッシャーロール２０の外周面に形成される溝において、搬送方向における先行部は、必ずしもファニッシャーロール２０の軸方向における端部まで延びる必要はない。
【００３９】
また、ファニッシャーロール２０の外周面に形成される溝について、溝自体が版胴３０とファニッシャーロール２０との間で挟圧されることにより潰されることによってこの溝内の気泡１９や異物等がファニッシャーロール２０の軸方向外方に押し出されるものであれば、上述したもの以外の様々な形状とすることができる。
【符号の説明】
【００４０】
１０  インキパン
１２  インキ供給部
１４  ポンプ
１６  インキ供給配管
１８  インキ
１９  気泡
２０  ファニッシャーロール
２２  軸
２４  溝
２６  内側領域
３０  版胴
３２  圧胴
３４  ドクターブレード
３６  印刷領域
Ｎ１、Ｎ２  ニップ部
Ｓ  被印刷物
【図１】
2015051513.tif 000003
【図２】
2015051513.tif 000004
【図３】
2015051513.tif 000005
【図４】
2015051513.tif 000006
【図５】
2015051513.tif 000007
【図６】
2015051513.tif 000008